(57)【要約】      （修正有）【課題】操作性を損なうことなく誤動作を確実に防止できるようにする。【解決手段】情報端末１は、所定の機器１０１に対する動作要求を行うことが可能な情報端末であって、画面に表示される個々の対象物に対して別々の操作を行うことが可能なマルチタッチ機能を有するタッチパネル１１と、画面に操作許可部２１および操作実行部２２を表示させ、タッチパネル１１を通じて、操作許可部２１に対して第１の操作が行われて所定の状態が保持されている間に、操作実行部２２に対して第２の操作が行われた場合、機器１０１に対する動作要求を実施する制御部１２とを具備する。【選択図】図１
2015197884.tif 000002
【特許請求の範囲】
【請求項１】
所定の機器に対する動作要求を行うことが可能な情報端末であって、
画面に表示される個々の対象物に対して別々の操作を行うことが可能なマルチタッチ機能を有するタッチパネルと、
前記画面に第１の操作部および第２の操作部を表示させ、
前記タッチパネルを通じて、前記第１の操作部に対して第１の操作が行われて所定の状態が保持されている間に、前記第２の操作部に対して第２の操作が行われた場合、前記機器に対する動作要求を実施する制御手段と
を具備することを特徴とする情報端末。
【請求項２】
所定の機器に対する動作要求を行うことが可能な情報端末であって、
画面に表示される個々の対象物に対して別々の操作を行うことが可能なマルチタッチ機能を有するタッチパネルと、
前記画面に第１の操作部を表示させ、
前記タッチパネルを通じて前記第１の操作部に対して第１の操作が行われて所定の状態が保持された場合に、前記画面に第２の操作部を表示させ、
前記タッチパネルを通じて、前記所定の状態が保持されている間に、前記第２の操作部に対して第２の操作が行われた場合、前記機器に対する動作要求を実施する制御手段と
を具備することを特徴とする情報端末。
【請求項３】
前記第２の操作部は、前記第１の操作部において前記所定の状態が保持されていないときは、操作することができないように構成されていることを特徴とする請求項１又は２に記載の情報端末。
【請求項４】
前記第１の操作部は、前記タッチパネルを通じて触れているときだけオン状態となるボタンを有し、
前記第２の操作部は、前記タッチパネルを通じてバー上の基点にあるスライダーに触れつつ該スライダーをスライドさせて所定の位置に留めた状態にあるときだけオン状態となるスライドバーを有し、
前記制御手段は、前記ボタンがオン状態となり且つ前記スライドバーがオン状態となった場合に限り、前記機器に対する動作要求を実施することを特徴とする請求項１乃至３のいずれか１項に記載の情報端末。
【請求項５】
前記第１の操作部は、前記タッチパネルを通じて第１のバー上の基点にある第１のスライダーに触れつつ該第１のスライダーをスライドさせて所定の位置に留めた状態にあるときだけオン状態となる第１のスライドバーを有し、
前記第２の操作部は、前記タッチパネルを通じて第２のバー上の基点にある第２のスライダーに触れつつ該第２のスライダーをスライドさせて所定の位置に留めた状態にあるときだけオン状態となる第２のスライドバーを有し、
前記制御手段は、前記第１のスライドバーがオン状態となり且つ前記第２のスライドバーがオン状態となった場合に限り、前記機器に対する動作要求を実施することを特徴とする請求項１乃至３のいずれか１項に記載の情報端末。
【請求項６】
画面に表示される個々の対象物に対して別々の操作を行うことが可能なマルチタッチ機能を有するタッチパネルを備えた情報端末を用いて所定の機器に対する動作要求を行う機器操作方法であって、
制御手段により、前記画面に第１の操作部および第２の操作部を表示させ、
制御手段により、前記タッチパネルを通じて、前記第１の操作部に対して第１の操作が行われて所定の状態が保持されている間に、前記第２の操作部に対して第２の操作が行われた場合、前記機器に対する動作要求を実施する
ことを特徴とする機器操作方法。
【請求項７】
画面に表示される個々の対象物に対して別々の操作を行うことが可能なマルチタッチ機能を有するタッチパネルを備えた情報端末を用いて所定の機器に対する動作要求を行う機器操作方法であって、
制御手段により、前記画面に第１の操作部を表示させ、
制御手段により、前記タッチパネルを通じて、前記第１の操作部に対して第１の操作が行われて所定の状態が保持された場合に、前記画面に第２の操作部を表示させ、
制御手段により、前記タッチパネルを通じて、前記所定の状態が保持されている間に、前記第２の操作部に対して第２の操作が行われた場合、前記機器に対する動作要求を実施する
ことを特徴とする機器操作方法。
【発明の詳細な説明】
【技術分野】
【０００１】
本発明の実施形態は、機器に対する動作要求を行うことが可能な情報端末および機器操作方法に関する。
【背景技術】
【０００２】
ある設備に設置される機器（例えば空調設備の電源等）を中央監視システムから遠隔操作するに際し、該操作に使用するユーザインタフェースとして、タッチパネルを備えたモバイル端末が使用される場合がある。
【０００３】
タッチパネルを備えたモバイル端末は、画面の誤った場所をタップしてしまうことも多く、マウス等の操作に比べて誤操作を起こしやすい。そのため、起動時などはスライドバーやパスワードの入力など、画面を触るだけでは解除されないようロックをかける対策が取られている。
【先行技術文献】
【特許文献】
【０００４】
【特許文献１】特開２０１１−１６４７３７号公報
【発明の概要】
【発明が解決しようとする課題】
【０００５】
しかしながら、例えば誤って画面を表示したままの状態で端末を持ち運んでいる場合、持ち運び中であっても体の一部が画面に触れていることも多く、誤った操作を行ってしまう可能性は十分にある。そのため、特に設備に重大な影響を及ぼすシステムの操作端末として利用する際は、画面を適当に触ったとしても誤操作を起こさないようにすることが必要である。
【０００６】
現状では、前述したように機器操作の際にパスワードを要求する方法や、確認ダイアログを多用する方法などがある。しかしながら、パスワードを毎回要求することは操作性の観点から好ましいとは言えず、また、確認ダイアログは意図しない操作を防ぐためには十分とは言えない。こうしたことから、操作性を損なうことなく誤動作を確実に防止することを可能とする技術の提示が望まれる。
【０００７】
本発明が解決しようとする課題は、操作性を損なうことなく誤動作を確実に防止することができる情報端末および機器操作方法を提供することにある。
【課題を解決するための手段】
【０００８】
実施形態によれば、所定の機器に対する動作要求を行うことが可能な情報端末であって、画面に表示される個々の対象物に対して別々の操作を行うことが可能なマルチタッチ機能を有するタッチパネルと、前記画面に第１の操作部および第２の操作部を表示させ、前記タッチパネルを通じて、前記第１の操作部に対して第１の操作が行われて所定の状態が保持されている間に、前記第２の操作部に対して第２の操作が行われた場合、前記機器に対する動作要求を実施する制御手段とを具備することを特徴とする情報端末が提供される。
【発明の効果】
【０００９】
本発明の実施形態によれば、操作性を損なうことなく誤動作を確実に防止することができる。
【図面の簡単な説明】
【００１０】
【図１】本発明の一実施形態に係る監視システムの概略構成を示す図。
【図２】モバイル端末のタッチパネル付き操作画面の第１の例を示す図。
【図３】モバイル端末のタッチパネル付き操作画面の第２の例を示す図。
【図４】モバイル端末のタッチパネル付き操作画面の第３の例を示す図。
【図５】モバイル端末のタッチパネル付き操作画面の第４の例（操作許可部のオン状態前）を示す図。
【図６】モバイル端末のタッチパネル付き操作画面の第４の例（操作許可部のオン状態後）を示す図。
【図７】本実施形態における動作の概略を説明するためのフローチャート。
【発明を実施するための形態】
【００１１】
以下、図面を参照して、本発明の実施の形態について説明する。
【００１２】
図１は、本発明の一実施形態に係る監視システムの概略構成を示す図である。
【００１３】
本実施形態に係る視システムは、ある設備に設置される機器１０１（例えば空調設備の電源等）を、サーバ１０２を介して遠隔操作する中央監視システムに相当し、該操作に使用する具体的なユーザインタフェースとして、モバイル端末１を有する。
【００１４】
モバイル端末１は、例えば、ソフトウェアプログラムを実行するコンピュータの機能を有する携帯型の移動可能な情報端末であり、ユーザ操作に応じて機器１０１に対する動作要求（例えば、空調設備の電源オンの指示など）を行うことが可能である。このモバイル端末１は、入力装置としてのタッチパネル１１と、プロセッサとしての制御部１２とを備えている。
【００１５】
タッチパネル１１は、画面に表示される個々の対象物に対して別々の操作を行うことが可能なマルチタッチ機能を有する。このタッチパネル１１には、制御部１２の制御により、操作許可部２１（第１の操作部）および操作実行部２２（第２の操作部）を含む操作ウィンドウ（操作画面）を表示させたり、機器１０１の状態を示す機器ステータスウィンドウ（機器状態確認画面）を表示させたりすることができる。
【００１６】
操作許可部２１と操作実行部２２の各領域には、それぞれ、後述するボタンもしくはスライドバーが表示される。これらは、ユーザの操作によってオン状態またはオフ状態となる。但し、操作実行部２２は、操作許可部２１のオン状態が保持されていないときは、操作することができないように構成されている。
【００１７】
なお、操作許可部２１と操作実行部２２とは、同時に表示させるようにしてもよいし、あるいは、操作許可部２１のみを先に表示させ、操作許可部２１がオン状態となったときに操作実行部２２も併せて表示させるようにしてもよい。
【００１８】
制御部１２は、ユーザからのタッチパネル１１上での操作に応じて、タッチパネル１１に表示される各ウィンドウの状態を遷移させるとともに、各ウィンドウの状態から機器１０１に対する動作要求を実施する条件が成立するか否かを判定し、条件が成立する場合に、サーバ１０２を通じて機器１０１に所定の動作を要求する機能を有する。
【００１９】
例えば、制御部１２は、操作許可部２１に対するユーザの操作に応じた画面遷移３１を行い、その操作により所定の状態が保持されたとき、機器１０１に対する動作要求を実施するための前提条件として、操作許可部２１がオン状態（操作許可状態）３２になったと判定し、操作許可状態を示す情報をメモリの所定のレジスタ（操作許可レジスタ）に保持する。なお、操作許可部２１のオン状態（操作許可状態）が解除されてオフ状態（操作禁止状態）となった場合には、操作許可レジスタ内の情報は操作禁止状態を示す情報に切り換えられる。
【００２０】
また、制御部１２は、操作実行部２２に対するユーザの操作に応じた画面遷移（図示せず）を行い、操作許可レジスタ内の情報が操作許可状態を示している間に操作実行部２２が所定の状態になったか否かの判定（操作許可判定）３３をも行う。この操作許可判定３３において所定の状態になったと判定した場合、制御部１２は、機器１０１の動作を要求する操作信号の出力（操作出力）３５を実施する。
【００２１】
図２は、モバイル端末１のタッチパネル付き操作画面の第１の例を示す図である。
【００２２】
この操作画面の例では、操作ウィンドウとして操作許可部２１と操作実行部２２とが表示されており、操作許可部２１は操作許可ボタン４０を備え、操作実行部２２はスライドバー４２を備えている。
【００２３】
操作許可ボタン４０は、ユーザがタッチパネル１１を通じて指などで触れているときだけ、押下げられた形態となり、オン状態となる。一方、触れていないときは、押下げられていない形態となっており、オフ状態にある。触れていた指などを離した場合も、押下げられていない形態となり、オフ状態となる。
【００２４】
スライドバー４２は、ユーザがタッチパネル１１を通じてバー上の基点（例えばバー上の左端）にあるスライダーに指などで触れつつ該スライダーをドラッグ操作することによりスライドさせて所定の位置（例えばバー上の右端）に留めた状態にあるときだけオン状態となる。一方、触れていないときは、スライダーは基点にあり、オフ状態にある。触れていた指などを離した場合も、スライダーは基点に戻り、オフ状態となる。
【００２５】
上記スライドバー４２は、操作許可ボタン４０がオン状態にあるときだけ、スライダーを動かすことができ、操作許可ボタン４０がオフ状態にあるときは、スライダーを動かすことができないようになっている。また、操作許可ボタン４０に触れている指などを離した場合は、操作許可ボタン４０とスライドバー４２とが共にオフ状態となり、操作画面が初期の状態に戻る。
【００２６】
このような操作画面において、制御部１２は、操作許可ボタン４０がオン状態となり且つスライドバー４２がオン状態となった場合に限り、機器１０１に対する動作要求を実施する。機器１０１に対する動作要求を実施した後は、例えば、表示されている操作画面を、図示しない機器状態確認画面に切り換え、機器１０１の状態をユーザが把握できるようにする。
【００２７】
このように、操作許可ボタン４０とスライドバー４２とを含む操作画面を採用することにより、操作性を損なうことなく誤動作を確実に防止することができる。操作許可ボタン４０とスライドバー４２とは、不慣れなユーザでも操作を直感的に理解することができる。また、ユーザがタッチパネルに意識せずに触れてしまっても、簡単に操作許可ボタン４０とスライドバー４２とが同時にオン状態になることはない。
【００２８】
図３は、モバイル端末１のタッチパネル付き操作画面の第２の例を示す図である。
【００２９】
この操作画面の例では、図２に示した操作許可ボタン４０に代えて、スライドバー４１を設けている。すなわち、操作許可部２１はスライドバー４１を備え、操作実行部２２はスライドバー４２を備えている。
【００３０】
スライドバー４１は、ユーザがタッチパネル１１を通じてバー上の基点（例えばバー上の左端）にあるスライダーに指などで触れつつ該スライダーをスライドさせて所定の位置（例えばバー上の右端）に留めた状態にあるときだけオン状態となる。一方、触れていないときは、スライダーは基点にあり、オフ状態にある。触れていた指などを離した場合も、スライダーは基点に戻り、オフ状態となる。
【００３１】
スライドバー４２は、ユーザがタッチパネル１１を通じてバー上の基点（例えばバー上の左端）にあるスライダーに指などで触れつつ該スライダーをスライドさせて所定の位置（例えばバー上の右端）に留めた状態にあるときだけオン状態となる。一方、触れていないときは、スライダーは基点にあり、オフ状態にある。触れていた指などを離した場合も、スライダーは基点に戻り、オフ状態となる。
【００３２】
上記スライドバー４２は、スライドバー４１がオン状態にあるときだけ、スライダーを動かすことができ、操作許可ボタン４０がオフ状態にあるときは、スライダーを動かすことができないようになっている。また、スライドバー４２のスライダーに触れている指などを離した場合は、スライドバー４２とスライドバー４２とが共にオフ状態となり、操作画面が初期の状態に戻る。
【００３３】
このような操作画面において、制御部１２は、スライドバー４１がオン状態となり且つスライドバー４２がオン状態となった場合に限り、機器１０１に対する動作要求を実施する。機器１０１に対する動作要求を実施した後は、例えば、表示されている操作画面を図示しない機器状態確認画面に切り換え、機器１０１の状態をユーザが把握できるようにする。
【００３４】
このように、スライドバー４１とスライドバー４２とを含む操作画面を採用した場合においても、操作性を損なうことなく誤動作を確実に防止することができる。スライドバー４１とスライドバー４２とは形態が類似しているため、操作性を一層高めることができる。
【００３５】
また、ユーザがタッチパネルに意識せずに触れてしまっても、簡単にスライドバー４１とスライドバー４２とが同時にオン状態になることはない。
【００３６】
図４は、モバイル端末１のタッチパネル付き操作画面の第３の例を示す図である。
【００３７】
この操作画面の例では、図３に示した操作ウィンドウ（操作画面）と、機器１０１の状態を示す機器状態確認画面２３とが、同時に表示される。この場合、操作画面を機器状態確認画面の内部に表示させる形態にしてもよい。機器ステータスの情報としては、例えば、機器の名称、機器の場所などのほか、機器の状態（例えば空調設備の電源のオン状態／オフ状態を示す「入」または「切」）、機器の操作の可否（当該機器を操作する権限があるか否か）、機器の操作の権限レベル（当該機器を操作するのに必要な権限レベル）などが表示される。
【００３８】
このような操作画面において、制御部１２が機器１０１に対する動作要求を実施した場合（例えば、空調設備の電源オンの要求を実施した場合）、機器状態確認画面２３に表示されている機器の状態は、「切」から「入」に変化する。
【００３９】
このように、操作画面に加えて機器状態確認画面２３を同時に表示させることにより、表示する画面数を減らしたり画面切り換えの手順を省いたりすることができ、且つ、ユーザは機器の状態を最初から把握しながら操作を行えるので、操作性を一層向上させることができる。
【００４０】
図５および図６は、モバイル端末１のタッチパネル付き操作画面の第４の例を示す図である。図５は、操作許可部２１がオン状態になる前の表示の例を示す。図６は、操作許可部２１がオン状態になった後の表示の例を示す。
【００４１】
操作許可部２１がオン状態になる前においては、図５に示すように、操作許可ボタン４０を含む操作許可部２１と、機器状態確認画面２３とが、同時に表示されている。この時点では、操作実行部２２はまだ表示されていない。
【００４２】
このような操作画面において、操作許可ボタン４０に指などが触れた場合、制御部１２は、図６に示すように、現在の表示画面の上に、更に、スライドバー４２を含む操作実行部２２を表示させる。この場合、操作実行部２２が操作許可部２１に重ならないようにする。図６の例では、操作実行部２２が機器状態確認画面２３と重なって表示されているが、機器状態確認画面２３が見えるよう、操作実行部２２が機器状態確認画面２３と重ならないように表示してもよい。
【００４３】
また、操作許可ボタン４０に触れている指などが離された場合、制御部１２は、スライドバー４２を含む操作実行部２２を非表示の状態にさせる。
【００４４】
このように、最初に操作許可部２１と機器状態確認画面２３とを同時に表示させ、操作許可部２１がオン状態になっているときだけ操作実行部２２を表示させることにより、表示画面に必要な情報だけを表示させて画面を簡潔にすることができる。
【００４５】
次に、図７のフローチャートを参照して、本実施形態における動作の概略を説明する。
【００４６】
制御部１２は、ユーザからのタッチパネル１１上での操作に応じて、タッチパネル１１に表示される各ウィンドウの状態を遷移させる。例えば、制御部１２は、少なくとも操作許可部２１を含む操作画面を表示させ（ステップＳ１１）、ユーザの操作に応じた画面遷移を行い、操作許可部２１がオン状態であるか否かを判定する（ステップＳ１２）。
【００４７】
ここで、操作許可部２１がオン状態でなければ（ステップＳ１２のＮＯ）、ステップＳ１１からの処理を繰り返す。例えば、ユーザが操作許可部２１に触れていた指などを離した場合、操作画面は初期状態に戻る。一方、操作許可部２１がオン状態になれば（ステップＳ１２のＹＥＳ）、操作実行部２２がまだ表示されていなければ操作実行部２２を表示させ、操作許可部２１がオン状態のままで操作実行部２２がオン状態となったか否かを判定する（ステップＳ１３）。
【００４８】
ここで、操作許可部２１がオン状態のままで操作実行部２２がオン状態とならなければ（ステップＳ１３のＮＯ）、ステップＳ１２からの処理を繰り返す。一方、操作許可部２１がオン状態のままで操作実行部２２がオン状態になれば（ステップＳ１３のＹＥＳ）、機器１０１に対する動作要求を実施する条件が成立したとみなし、機器１０１の動作を要求する操作信号を出力する（ステップＳ１４）。そして、制御部１２は、必要に応じて操作画面等を非表示にし（ステップＳ１５）、処理を終了する。
【００４９】
以上詳述したように、本発明の実施形態によれば、操作性を損なうことなく誤動作を確実に防止することが可能となる。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１…モバイル端末、１１…タッチパネル、１２…制御部、２１…操作許可部、２２…操作実行部、２３…機器状態確認画面、３１，３４…画面遷移、３２…操作許可状態、３３…操作許可判定、３５…操作出力、４０…操作許可ボタン、４１，４２…スライドバー、１０１…機器、１０２…サーバ。
【図１】
2015197884.tif 000003
【図２】
2015197884.tif 000004
【図３】
2015197884.tif 000005
【図４】
2015197884.tif 000006
【図５】
2015197884.tif 000007
【図６】
2015197884.tif 000008
【図７】
2015197884.tif 000009